(57)【特許請求の範囲】
【請求項１】
固定側と可動側のいずれか一方に組み付けられるフック具と、固定側と可動側のいずれか他方に組み付けられる引掛具とからなるラッチであって、
前記フック具が、地震等による所定の振動によって移動可能な球状をなすウエイトを収めるケース体と、
当該ケース体に、当該ケース体から突き出されるように、回動可能に組み付けられ、かつ、前記振動により移動されるウエイトに当接される当接部を有し、この当接部を前記ケース体内に収めたフック手段とを備えており、
前記振動により移動される前記ウエイトの当接に伴って前記フック手段が回動され、かつ、前記可動側の移動に伴って前記引掛具に掛合する構成としてあると共に、
前記ケース体には移動前の前記ウエイトの一部を収める張り出し部が形成してあり、しかも、この張り出し部を構成する左右両側板が当該張り出し部の奥側に向けて次第に近接する構成としてあると共に、当該張り出し部を構成する上板が当該奥側に向けて次第に下方に傾斜されていることを特徴とするラッチ。
【発明の詳細な説明】
【０００１】
【発明の属する技術分野】
この発明は、地震等による振動により家具等の扉が開き出し、収納物が落下等することを防止するために用いるのに適したラッチの提供に関する。
【０００２】
【従来の技術】
地震等の振動による家具等の扉の開き出しを防止する技術として、本出願人が先に開示した特願平８−２６９７４１記載のロック装置がある。
【０００３】
かかる装置は、固定体と移動体のいずれか一方に設けられた固定フック部を有するフック受けと、固定体と移動体の他方に設けられた回動可能な可動フック部を有するフック本体と、常時はこのフック本体の可動フック部を固定フック部から離隔する方向に付勢し、かつ、所定以上の振動に伴って可動フック部の固定フック部に引っ掛かる位置までの回動を許容する付勢手段とを備えている。
【０００４】
したがって、かかる装置によれば、地震等により所定以上の振動が作用した場合に、前記可動フック部を回動させて固定フック部に引っ掛けることができ、これにより、移動体、典型的には家具の扉の移動を阻止し、収納物の家具内からの落下を防止することが可能とされる。
【０００５】
【発明が解決しようとする課題】
しかるに、前記ロック装置にあっては、相互に引っ掛かりあった固定フック部と可動フック部との引っ掛かり状態が、可動フック部の固定フック部から離隔する向きへの回動により単純に解かれてしまう。このことから、かかる可動フック部を回動させるような所定の振動が一旦作用された場合には、両フック部の引っ掛かり状態を維持できるようにする手法が別途望まれるところであった。
【０００６】
また、前記所定の振動が、可動フック部を回動させる向きの振動でないとかかる可動フック部を固定フック部に引っ掛けることができない不都合があった。
【０００７】
しかるにまた、本出願人は、地震等の振動による家具等の扉の開き出しを防止する技術として、特願平７−２２２８３１記載のストッパーを開示している。
【０００８】
かかるストッパーは、扉の内側に設けられるロックノブと、このロックノブから離れたロック解除位置からロック位置までスライド可能に保持されたロックプレートと、所定以上の振動によりロックプレートに作用し、自重により当該ロックプレートを前記ロック位置にスライドさせるウエイトとを備えている。
【０００９】
したがって、かかるストッパーによれば、地震等により所定以上の振動が作用した場合に、前記ロックプレートをスライドさせて扉の移動を阻止し、収納物の家具内からの落下を防止することが可能とされる。
【００１０】
しかるに、かかるストッパーは、前記ロック状態を作りだすため、先ず、前記ウエイトが前記振動によりこのウエイトの自重をロックプレートに作用させる位置まで移動することを要し、かつ、当該ウエイトがロックプレートのスライド寸法分、当該スライド方向に一緒に移動することを要するものであった。
【００１１】
このため、前記振動が作用されてからロックプレートがロック位置に至るまでの時間を、単純には短縮させ難いものであった。
【００１２】
そこで、この発明は、第一に、所定の振動が作用された場合に、可動側の移動を阻止するラッチにおいて、当該移動の阻止状態を維持できるようにすることを目的とする。また、第二に、所定以上の大きさの振動が作用された場合には、その振動が特定の向きでない場合であっても、前記可動側の移動を阻止できるようにすることを目的とする。
また、第三に、前記第二の目的を達成しつつ、所定の振動が作用された場合に移動されるウエイトを利用した扉等の可動側の移動阻止をなすラッチにおいて、当該振動が作用されてから可動側の移動を阻止するロック状態が作り出されるまでの応答時間を短縮させることに適した構造を提供することを目的とする。
【００１３】
【課題を解決するための手段】
前記目的を達成するために、この発明にあっては、ラッチを、固定側と可動側のいずれか一方に組み付けられるフック具と、固定側と可動側のいずれか他方に組み付けられる引掛具とからなるラッチであって、前記フック具が、地震等による所定の振動によって移動可能な球状をなすウエイトを収めるケース体と、当該ケース体に、当該ケース体から突き出されるように、回動可能に組み付けられ、かつ、前記振動により移動されるウエイトに当接される当接部を有し、この当接部を前記ケース体内に収めたフック手段とを備えており、前記振動により移動される前記ウエイトの当接に伴って前記フック手段が回動され、かつ、前記可動側の移動に伴って前記引掛具に掛合する構成としてあると共に、前記ケース体には移動前の前記ウエイトの一部を収める張り出し部が形成してあり、しかも、この張り出し部を構成する左右両側板が当該張り出し部の奥側に向けて次第に近接する構成としてあると共に、当該張り出し部を構成する上板が当該奥側に向けて次第に下方に傾斜されている構成のものとした。
【００１４】
かかる構成によれば、前記ウエイトは、上下方向の揺れが作用した場合には、前記上板に案内されて、また、左右方向の揺れが作用した場合には、左右両側板に案内されて、フック手段の側に無理なく移動される。
【００１５】
【発明の実施の形態】
以下、この発明の典型的な実施の形態について、説明する。
【００１６】
（第一の実施の形態）
先ず、ラッチを、固定側Ｓと可動側Ｍのいずれか一方に組み付けられるフック具Ｆと、固定側Ｓと可動側Ｍのいずれか他方に組み付けられる引掛具Ｊとからなるラッチであって、前記フック具Ｆが、ケース体１０と、当該ケース体１０に当該ケース体１０から突き出されるように回動可能に組み付けられるフック手段２０とを備えていると共に、前記引掛具Ｊが、フック具Ｆの側に突き出す突片４１と、当該突片４１の基部側に先端を向けるように当該突片４１から設けられた湾曲状をなす掛合爪４２と、前記掛合爪４２の側に向けて前記突片４１から突き出す弾性片４３とを有しており、前記地震等の所定の振動により前記フック手段２０が回動され、かつ、固定側Ｓから離れ出す向きの可動側Ｍの移動に伴って、当該フック具Ｆのフック手段２０の掛合端２１ａを、前記掛合爪４２の先端側と弾性片４３との間から、前記掛合爪４２の湾曲部４２ｂの内側４２ｂ’に前記弾性片４３を弾性変形させながら入り込ませる構成としてある構成とすることが、この発明の典型的な実施の形態の一つとされる。
【００１７】
かかる構成によれば、前記弾性片４３により、掛合爪４２の湾曲部４２ｂの内側４２ｂ’に入り込ませた前記フック具Ｆのフック手段２０の掛合端２１ａをかかる湾曲部４２ｂの内側４２ｂ’で保持することができ、これにより、所定の振動が作用した場合における、固定側Ｓから離れる向きの可動側Ｍの移動を一層確実に阻止することができる。
【００１８】
（第二の実施の形態）
次いで、前記第一の実施の形態にかかるラッチにおけるフック具を構成するケース体１０に、地震等の所定の振動により移動されるウエイト３０が収められていると共に、フック具Ｆを構成するフック手段２０が、前記振動により移動されるウエイト３０に当接される当接部２４を有しており、前記振動により移動される前記ウエイト３０の当接に伴って前記フック手段２０が回動される構成とすることが、この発明の典型的な実施の形態の一つとされる。
【００１９】
かかる構成によれば、地震等による所定の振動が作用されない場合には、前記ウエイト３０が移動されず、したがって、前記フック具Ｆのフック手段２０と前記引掛具Ｊとが掛合されることがなく、固定側Ｓから離れ出す向きの可動側Ｍの移動を妨げないようにすることができる。
【００２０】
また、地震等による所定の振動が作用された場合には、前記ウエイト３０が移動され、このウエイト３０が前記フック手段２０の当接部２４に当接して、当該フック手段２０を前記引掛具Ｊに掛合可能に回動させ、可動側Ｍの移動により掛合させる。これにより、かかる振動が作用された場合における固定側Ｓから離れ出す向きへの可動側Ｍの移動を阻止することができる。
【００２１】
特に、かかるウエイト３０の移動は、特定の向きの揺れ以外の揺れによっても移動されるように必要に応じて調整可能なことから、例えば、図４における上下方向あるいは左右方向の揺れのいずれにおいても前記当接部２４に当接させる向きに移動させるようにすることができ、特定の向きの振動が作用された場合に限定されることなく、可動側Ｍの移動の阻止をなすことができる。
【００２２】
（第三の実施の形態）
また、ラッチを、固定側Ｓに組み付けられるフック具Ｆと、可動側Ｍに組み付けられる引掛具Ｊとからなるラッチであって、前記フック具Ｆが、地震等による所定の振動によって移動可能なウエイト３０を収めるケース体１０と、当該ケース体１０に、当該ケース体１０から突き出されるように、回動可能に組み付けられ、かつ、前記振動により移動されるウエイト３０に当接される当接部２４を有し、この当接部２４を前記ケース体１０内に収めたフック手段２０とを備えており、前記振動により移動される前記ウエイト３０の当接に伴って前記フック手段２０が回動され、かつ、前記可動側Ｍの移動に伴って前記引掛具Ｊに掛合する構成とすることが、この発明の最良の実施の形態の一つとされる。
【００２３】
かかる構成によっても、地震等による所定の振動が作用されない場合には、前記ウエイト３０が移動されず、したがって、前記フック具Ｆのフック手段２０と前記引掛具Ｊとが掛合されることがなく、固定側Ｓから離れ出す向きの可動側Ｍの移動を妨げないようにすることができる。
【００２４】
また、地震等による所定の振動が作用された場合には、前記ウエイト３０が移動され、このウエイト３０が前記フック手段２０の当接部２４に当接して、当該フック手段２０を前記引掛具Ｊに掛合可能に回動させ、可動側Ｍの移動により掛合させる。これにより、かかる振動が作用された場合における固定側Ｓから離れ出す向きへの可動側Ｍの移動を阻止することができる。
【００２５】
また特に、かかるウエイト３０の移動は、特定の向きの揺れ以外の揺れによっても移動されるように必要に応じて調整可能なことから、例えば、図４における上下方向あるいは左右方向の揺れのいずれにおいても前記当接部２４に当接させる向きに移動させるようにすることができ、特定の向きの振動が作用された場合に限定されることなく、可動側Ｍの移動の阻止をなすことができる。
【００２６】
以上に説明した第一、第二、第三の実施の形態によれば、食器棚、本棚、吊り戸棚などの家具の扉などを可動側Ｍとし、かかる家具本体を固定側Ｓとすることにより、前記地震等による所定の振動が作用された場合に、かかる扉などが開いて収納物が落下等しないようにすることができる。また、かかる振動が作用されない場合には、かかる扉等の開閉操作に支障を生じることがない。
【００２７】
なお、前記ウエイト３０の重さ、形状、このウエイト３０の移動されるケース体１０の内面の形状などを適宜調整することにより、このウエイト３０が移動されるために必要な所定の振動の大きさを設定することができる。地震の振動による家具の扉の開き出しを阻止する目的でこの実施の形態にかかるラッチを用いる場合には、かかる所定の振動の大きさは、典型的には、通常の家具の扉の開閉に伴う振動以上の振動であって、家具本体内に収納される収納物が家具本体内から落下する程度の振動とされる。より具体的には、ウエイト３０を重くしたり、ウエイト３０とケース体１０との接触面積、接触抵抗を高めるように当該ウエイト３０等の形状を調整することにより、ウエイト３０が移動される必要がある所定の振動の大きさを設定しておくことができる。
【００２８】
また、特に第二および第三の実施の形態にあっては、前記ウエイト３０の当接により前記フック手段２０を回動させて前記引掛具Ｊとの掛合をなすことから、ウエイト３０の移動量に比し、このウエイト３０の移動、当接により回動されるケース体１０から突き出されているフック手段２０の回動量を大きくさせることができる。つまり、前記所定の振動に作用によりウエイト３０がわずかに移動された段階で、前記フック手段２０を前記引掛具Ｊに掛合させるに十分な寸法回動させるようにすることができる。すなわち、この実施の形態にかかるラッチは、前記所定の振動が作用されてから、可動側Ｍの開き出しを阻止するロック状態が作り出されるまでの応答時間を短縮させるのに適している。
【００２９】
また、前記ケース体１０、フック手段２０、引掛具Ｊの三点より構成することができ、簡易かつ低廉に前記機能を備えたラッチを構成することができる特長を有する。
【００３０】
（より具体的な実施の形態）
次いで、図１ないし図１１に示されるこの発明のより具体的な実施の形態について、説明する。
【００３１】
なお、ここで図１は、ラッチの構成を理解し易いように、ラッチの構成部品を分解して斜視の状態として示している。
【００３２】
図２は、固定側Ｓの開口Ｈを可動側Ｍの構成材Ｍａが塞いだ状態におけるフック具Ｆと、引掛具Ｊの取り付け状態を、縦断面の状態で示している。
【００３３】
また、図３は、所定の振動が作用してフック具Ｆが回動された状態を、側方から見て示している。（引掛具Ｊは縦断面の状態で示している。）また、図４は、図３の状態を図３の下方から見て示している。
【００３４】
また、図５は、所定の振動が作用して、可動側Ｍの構成材Ｍａが固定側Ｓの開口Ｈからやや離れ出した状態を側方から見て示している。（引掛具Ｊは縦断面の状態で示している。）
【００３５】
また、図６は、可動側Ｍの構成材Ｍａが固定側Ｓの開口Ｈからさらに離れ出した状態を側方から見て示している。（引掛具Ｊは縦断面の状態で示している。）また、図７は、図６の状態を図６の下方から見て示している。
【００３６】
また、図８は、フック具Ｆを固定側Ｓの構成材Ｓａへの取付面１１側から見た状態で示しており、図９は、かかるフック具Ｆを引掛具Ｊに向き合った側から見た状態で示している。
【００３７】
さらに、図１０は、引掛具Ｊを掛合爪４２が設けられている側から見た状態で、また、図１１は、フック具Ｆに向き合う側から見た状態でそれぞれ示している。
【００３８】
この実施の形態にかかるラッチは、鉛直方向に板面を沿わせる可動側Ｍの構成材Ｍａにおける固定側Ｓにある面に組み付けられる引掛具Ｊと、この可動側Ｍの構成材Ｍａにより塞がれる開口Ｈを形成する水平方向に板面を沿わせる固定側Ｓの構成材Ｓａの下面に組み付けられるフック具Ｆとを備えている。
【００３９】
前記フック具Ｆは、上面を前記固定側Ｓの構成材Ｓａの下面への取付面１１としたケース体１０と、このケース体１０に回動可能に組み付けられるフック手段２０とを備えている。
【００４０】
ケース体１０は、一側部を開口１２とさせている。そして、この開口１２を構成する両側板における上部側であって、当該開口近傍位置に、一対の軸穴１３を備えている。
【００４１】
一方、前記フック手段２０は、前記ケース体１０から突き出されるアーム２１と、このアーム２１を下部から突き出させると共に、上部に軸穴２３を備えたアーム２１の支持体２２とを備えている。フック手段２０は、前記ケース体１０の軸穴１３と前記支持体２２の軸穴２３とに差し通される軸１５により、支持体２２の上部側を回動中心としてアーム２１の先端を上下方向に移動させるように当該ケース体１０に組み付けられている。
【００４２】
支持体２２は、前記ケース体１０の開口１２を塞ぐ幅を備えている。また、支持体２２の下面は、前記上部側を回動中心とした回動に際してケース体１０の下面に干渉しないように、前記軸１５を中心とした円弧に沿った弧状の面２２ａとして構成してある。
【００４３】
ケース体１０内には、球状をなすウエイト３０が収められている。ケース体１０の開口１２と反対の側には、移動前の当該ウエイト３０の一部を収める張り出し部１４が形成してある。張り出し部１４を構成する左右両側板１４ａ、１４ａは、当該張り出し部１４の奥側に向けて次第に近接する構成としてあると共に、当該張り出し部１４を構成する上板１４ｂも当該奥側に向けて次第に下方に傾斜されており、この張り出し部１４において前記ウエイト３０は、左右両側部と上部とを当該張り出し部１４の内面に接しさせた状態で収められる。この結果、この実施の形態にあっては、特に、図２における上下方向の揺れが作用した場合には、前記上板１４ｂに案内されて、また、図４における上下方向の揺れが作用した場合には、左右両側板１４ａ、１４ａに案内されて、かかるウエイト３０はフック手段２０の側に無理なく移動される。
【００４４】
また、前記フック手段２０は、下端部にケース体１０の前記開口１２の下端縁１２ａに突き当たる突き出し部２５を備えている。この実施の形態にあっては、前記軸１５を通る垂線上、あるいは、当該垂線に対してフック手段２０の重心がケース体１０の外方側に位置する構成としてある。したがって、フック手段２０は自重により常には前記突き出し部２５を前記開口１２の下端縁１２ａに突き当てた位置にあるものとされ、この位置を前記軸１５を中心とした回動開始前の位置Ｂとする。この回動開始前の位置Ｂにおいて、前記アーム２１はその下面を前記ケース体１０の下側外側面と略同面に位置させる。
【００４５】
フック手段２０の前記支持体２２における前記ケース体１０内においてウエイト３０に向き合った側がウエイト３０の当接部２４とされる。当該当接部２４は、前記下側の弧状の面２２ａと支持体２２の上部から当該支持体２２の下部側に向けて外広がり状に傾斜する傾斜面２２ｂにより、当該ウエイト３０の側に張り出すように形成されている。
【００４６】
また、前記アーム２１の先端は、このアーム２１が先端を上方に移動させた際に、前記引掛具Ｊに掛合される掛合端２１ａとしてある。この実施の形態にあっては、かかるアーム２１の先端に、当該アーム２１の回動方向に略直交する向きに軸線を位置させる、断面略円形状をなす掛合バー２１ｂを、当該掛合バー２１ｂの両端が前記アーム２１の両側にそれぞれ突き出されるように設けて、かかる掛合端２１ａを形成している。
【００４７】
以上の構成を備えるフック具Ｆは、前記ケース体１０の上部両側において、外向きに突き出す取付片１６に設けた取付穴１６ａに下方からネジ１７を差し入れ、このネジ１７を前記固定側Ｓの構成材Ｓａに止着することにより、当該構成材Ｓａに取り付けられる。
【００４８】
次いで、前記引掛具Ｊは、可動側Ｍの構成材Ｍａの面に沿った取付板部４０と、この取付板部４０の上端部から略水平方向に突き出す板状の突片４１と、この突片４１の基部側に先端を向けるように、当該突片４１の先端から設けられた湾曲状をなす掛合爪４２とを備えている。
【００４９】
引掛具Ｊの掛合爪４２は、中央部に設けられた割欠部４２ａにより左右に区分されている。この割欠部４２ａは、前記フック具Ｆのアーム２１が前記回動に伴って入り込める幅に構成してある。
【００５０】
また、前記突片４１には、当該突片４１の基部側から先端側に向けて延びる一対の割溝４１ａ、４１ａと、この割溝４１ａにおける当該突片４１の先端側の端部を相互に連通させる割溝４１ｂとにより区分された弾性片４３を備えている。この弾性片４３は、前記割欠部４２ａの間において前記掛合爪４２の先端側に向けて突き出すように、基部側から先端側に向けて傾斜した板片状に構成としてある。
【００５１】
そして、この実施の形態にあっては、前記取付板部４０に、取付穴４０ａが設けてあり、この取付穴４０ａにネジ４０ｂを差し入れ、このネジ４０ｂを前記可動側Ｍの構成材Ｍａに止着することにより、前記掛合爪４２を下側にし、かつ、前記突片４１をフック具Ｆの側に向けて突き出すように、かかる引掛具Ｊを前記構成材に組み付けることができる構成としてある。
【００５２】
より具体的には、この実施の形態にあっては、可動側Ｍの構成材Ｍａが固定側Ｓの構成材Ｓａの開口Ｈを塞いだ閉じ込み状態において、前記突片４１の上面を固定側Ｓの構成材Ｓａの下面に添わせる位置に、前記引掛具Ｊが取り付けている。
【００５３】
この実施の形態に係るラッチは以上の構成を備えることから、前記固定側Ｓの構成材Ｓａに対し、フック手段２０が上方に向けて回動された際に、このフック手段２０の前記掛合端２１ａを構成する掛合バー２１ｂが、前記引掛具Ｊの掛合爪４２の先端を通過し、かつ、前記アーム２１が前記引掛具Ｊの掛合爪４２の割欠部４２ａを通る位置にフック手段２０の組み付けをなすことにより、以下のように機能する。
【００５４】
先ず、振動が全く作用されないか、前記ウエイト３０を移動させるに足る振動が作用されない場合には、前記ウエイト３０は移動されず、したがって、前記フック手段２０は前記回動開始前の位置Ｂに留まる。したがって、当該フック手段２０と前記引掛具Ｊとは掛合されず、固定側Ｓから離れ出す向きへの可動側Ｍの移動を自由になすことができる。（図２）
【００５５】
次いで、前記ウエイト３０を移動させる大きさの振動が作用されると、ケース体１０の内奥側にあったウエイト３０が開口１２側に移動される。このようにウエイト３０が移動されると、当該ウエイト３０が前記支持体２２の当接部２４に当接され、当該支持体２２を開口１２側に押し出す。この押し出しを受けたフック手段２０は、支持体２２の上部で前記軸１５により回動可能に組み付けられているので、この軸１５を中心にアーム２１の掛合端２１ａを上方に移動させるように回動される。
【００５６】
このように上方に移動されたアーム２１は、前記割欠部４２ａを通って移動され、このアーム２１の左右両側に突き出される前記掛合バー２１ｂの端部をそれぞれ、当該割欠部４２ａにより区分された一対の掛合爪４２の先端部側方に位置させる。（図３および図４）
【００５７】
この段階で、前記振動により可動側Ｍの構成材Ｍａが固定側Ｓから離れ出す向きに移動されると、前記引掛具Ｊも前記フック具Ｆから離れる向きに移動されることになるので、前記アーム２１の掛合端２１ａを構成する掛合バー２１ｂはそれぞれ掛合爪４２の湾曲部４２ｂ側に移動される。より具体的には、当該掛合爪４２の前記突片４１に向き合った側には、当該掛合爪４２の先端側から湾曲部４２ｂ側に向けて当該掛合爪４２の肉厚を大きくする傾斜面４２ｃが設けてあり、前記掛合バー２１ｂはこの傾斜面４２ｃに案内されて前記湾曲部４２ｂ側にスムースに移動される。
【００５８】
この状態から、さらに前記振動により可動側Ｍの構成材Ｍａが固定側Ｓから離れ出す向きに移動されると、前記アーム２１の先端位置される掛合バー２１ｂの中央部が弾性片４３の先端に突き当たるに至る。ここで、この実施の形態にあっては、前記弾性片４３の先端と前記掛合爪４２の間の最小の間隔が、前記掛合バー２１ｂの径よりも小さくなる構成としてある。したがって、このように掛合バー２１ｂの中央部に突き当てられた弾性片４３は、可動側Ｍ部材の移動に伴って徐々に上方に弾性変形されるに至る。（図５）そして、かかる掛合バー２１ｂが前記掛合爪４２の湾曲部４２ｂ内側４２ｂ’に入り込んだ位置で、当該弾性片４３の先端を掛合バー２１ｂが乗り越える構成としてあり、この乗り越え位置で当該弾性片４３は弾性復帰され、再び、前記掛合爪４２の先端と弾性片４３の先端との間隔が掛合バー２１ｂの径よりも小さくなるに至る。（図６および図７）
【００５９】
この結果、この実施の形態にかかるラッチによれば、前記掛合バー２１ｂの両端部が前記掛合爪４２の湾曲部４２ｂの内側４２ｂ’に入り込んだ状態を保持させることができ、この状態まで固定側Ｓから離れ出す向きに移動された可動側Ｍの構成材Ｍａが、前記振動によりさらに固定側Ｓから離れ出す向きに移動される事態を確実に阻止することができる。
【００６０】
なお、前記掛合爪４２の湾曲部４２ｂ内側４２ｂ’に掛合バー２１ｂの両端を保持させた保持状態は、可動側Ｍを固定側Ｓに近付ける向きに再度移動させることにより解くことができる。すなわち、かかる移動により掛合バー２１ｂを前記弾性片４３に押し付けて、再び当該弾性片４３を弾性変形させ、当該弾性片４３の先端と掛合爪４２との間を広げて、両者の間から掛合バー２１ｂを抜き出すことができる。
【００６１】
【発明の効果】
この発明にかかるラッチによれば、ウエイトの移動は、特定の向きの揺れ以外の揺れによっても移動されるように必要に応じて調整可能なことから、上下方向あるいは左右方向の揺れのいずれにおいても当該ウエイトを前記当接部に当接させる向きに移動させるようにすることができ、特定の向きの振動が作用された場合に限定されることなく、可動側の移動の阻止をなすことができる。
【００６２】
さらに、前記ウエイトの当接により前記フック手段を回動させて前記引掛具との掛合をなすことから、ウエイトの移動量に比し、このウエイトの移動、当接により回動されるケース体から突き出されているフック手段の回動量を大きくさせることができる。つまり、前記所定の振動に作用によりウエイトがわずかに移動された段階で、前記フック手段を前記引掛具に掛合させるに十分な寸法回動させるようにすることができる。すなわち、この実施の形態にかかるラッチは、前記所定の振動が作用されてから、可動側の開き出しを阻止するロック状態が作り出されるまでの応答時間を短縮させるのに適している。
【００６３】
また、前記ケース体、フック手段、引掛具の三点よりラッチを構成することができるので、地震等の所定の振動が作用された際の可動側の移動を阻止する機能を備えたラッチを、簡易かつ低廉に提供することができる特長を有する。
【図面の簡単な説明】
【図１】ラッチの分解斜視図
【図２】ラッチの使用状態を示す縦断面図（回動開始前の位置Ｂ）
【図３】ラッチの使用状態を示す側面図
【図４】ラッチの使用状態を示す底面図
【図５】ラッチの使用状態を示す側面図
【図６】ラッチの使用状態を示す側面図
【図７】ラッチの使用状態を示す底面図
【図８】フック具Ｆの平面図
【図９】フック具Ｆの側面図
【図１０】引掛具Ｊの底面図
【図１１】引掛具Ｊの側面図
【符号の説明】
Ｓ  固定側
Ｍ  可動側
Ｆ  フック具
Ｊ  引掛具
１０  ケース体
２０  フック手段
２４  当接部
３０  ウエイト
【図１】
0003699857.tif 000002
【図２】
0003699857.tif 000003
【図３】
0003699857.tif 000004
【図４】
0003699857.tif 000005
【図５】
0003699857.tif 000006
【図６】
0003699857.tif 000007
【図７】
0003699857.tif 000008
【図８】
0003699857.tif 000009
【図９】
0003699857.tif 000010
【図１０】
0003699857.tif 000011
【図１１】
0003699857.tif 000012